(57)【要約】【課題】電気泳動方式の表示素子を有する表示パネル等の不揮発性表示パネルを備えた表示装置において、画像の書き換え中に電池の電池残量の不足に陥って電力が供給されなくなると、画像への書き換えが完全に完了していない不完全な表示のまま表示が維持されてしまうことになる。【解決手段】電池残量が所定値以下になった場合は、画像の書き換え指示が利用者に入力されたとしても、画像の書き換えを行わない。これにより画像の書き換え中に電池がなくなって表示装置に不完全な表示が維持されたままになるという問題を防止することができる。【選択図】図１
2010237264.tif 000002
【特許請求の範囲】
【請求項１】
電力の供給が断たれても画像の表示が維持される不揮発性表示部と、
前記不揮発性表示部に電力を供給する電池と、
前記不揮発性表示部に表示された画像を書き換える指示を入力する入力部と、
前記電池の電池残量を取得する電池残量取得部と、
前記入力部により画像を書き換える指示が入力された場合に、
所定の閾値以上の電池残量が前記電池残量取得部により取得されているときは、前記不揮発性表示部に表示された画像を書き換える制御を行い、
前記閾値以上の電池残量が前記電池残量取得部により取得されていないときは、前記不揮発性表示部に表示された画像を書き換えない制御を行う書き換え制御部と、
を備えたことを特徴とする表示装置。
【請求項２】
前記書き換え制御部は、
前記不揮発性表示部に表示された画像を別の画像に書き換える指示が前記入力部により入力された場合に、
第１の閾値以上の電池残量が前記電池残量取得部により取得されているときは、前記不揮発性表示部に表示された画像を前記別の画像に書き換える制御を行い、
第１の閾値よりも値の低い第２の閾値以上の電池残量が前記電池残量取得部により取得されているときは、前記不揮発性表示部に表示された画像を、所定のメッセージを有する報知画像に書き換える制御を行い、
第２の閾値以上の電池残量が前記電池残量取得部により取得されていないときは、前記不揮発性表示部に表示された画像を書きかえる制御を行わないこと、
を特徴とする請求項１に記載の表示装置。
【請求項３】
前記メッセージと前記別の画像とを記憶する記憶部と、
前記記憶部に記憶された前記メッセージと前記別の画像とを合成した合成画像を生成する合成画像生成部を備え、
前記書き換え制御部は、前記報知画像として前記合成画像に書き換える制御を行うことを特徴とする請求項２に記載の表示装置。
【請求項４】
所定条件にしたがって前記閾値を変更する閾値変更部を備え、
前記書き換え制御部は、前記閾値変更部により変更された前記閾値を用いることを特徴とする請求項１に記載の表示装置。
【請求項５】
前記不揮発性表示部による画像の書き換え形式を設定する書き換え形式設定部を備え、
前記閾値変更部は、前記書き換え形式設定部による書き換え形式の設定にしたがって前記閾値を変更することを特徴とする請求項４に記載の表示装置。
【請求項６】
前記不揮発性表示部に表示された画像を別の画像に書き換える指示が前記入力部により入力された場合に、前記不揮発性表示部に表示された画像を別の画像に書き換える際に消費される消費電力を推論する消費電力推論部を備え、
前記閾値変更部は、消費電力推論部により推論される消費電力に応じて、前記閾値を変更することを特徴とする請求項４に記載の表示装置。
【請求項７】
電力の供給が断たれても画像の表示が維持される不揮発性表示部と、
前記不揮発性表示部に電力を供給する電池と、
前記不揮発性表示部に表示された画像を書き換える指示を入力する入力部と、を備えた表示装置のコンピュータを、
前記電池の電池残量を取得する電池残量取得部と、
前記入力部により画像を書き換える指示が入力された場合に、
所定の閾値以上の電池残量が前記電池残量取得部により取得されているときは、前記不揮発性表示部に表示された画像を書き換え制御を行い、
前記閾値以上の電池残量が前記電池残量取得部により取得されていないときは、前記不揮発性表示部に表示された画像を書き換えない制御を行う書き換え制御部と、
して機能させることを特徴とする表示装置のプログラム。
【発明の詳細な説明】
【技術分野】
【０００１】
本発明は、表示装置及び表示装置のプログラムに関するものである。
【背景技術】
【０００２】
従来から、電力の供給が絶たれても画像の表示が維持される表示装置が知られている（例えば、特許文献１）。このような表示装置は、電気泳動型の表示素子やコレステリック液晶等を備えた不揮発性表示部を有する。
【先行技術文献】
【特許文献】
【０００３】
【特許文献１】特開２００８−１９７９５３号公報
【発明の概要】
【発明が解決しようとする課題】
【０００４】
このような表示装置においては、画像を書き換えている最中に電池残量の不足に陥って電力が不揮発性表示部に供給されなくなると、画像の書き換えが完全に完了していない不完全な表示のまま表示が維持されてしまうことになる。この場合、表示装置の電池を新しいものに交換するか、電池残量の不足に陥った電池を再度充電して、電池残量の不足を解消する必要がある。このようにして電池残量の不足を解消した後、再度画像の書き換えを行うまでは、従来の表示装置では不完全な表示が維持されたままになるという問題があった。
【課題を解決するための手段】
【０００５】
上述の課題を解決するため、請求項１に記載の発明は、電力の供給が断たれても画像の表示が維持される不揮発性表示部と、前記不揮発性表示部に電力を供給する電池と、前記不揮発性表示部に表示された画像を書き換える指示を入力する入力部と、前記電池の電池残量を取得する電池残量取得部と、前記入力部により画像を書き換える指示が入力された場合に、所定の閾値以上の電池残量が前記電池残量取得部により取得されているときは、前記不揮発性表示部に表示された画像を書き換える制御を行い、前記閾値以上の電池残量が前記電池残量取得部により取得されていないときは、前記不揮発性表示部に表示された画像を書き換えない制御を行う書き換え制御部と、を備えたことを特徴とする。
【０００６】
これにより、前記入力部により画像を書き換える指示が入力されたとしても、前記閾値以上の電池残量が取得されていないときは、前記書き換え制御部が画像を書き換えない。前記閾値として不揮発性表示部で少なくとも１回以上書き換えるために必要な閾値を用いれば、画像の書き換えの最中に電池が電池残量の不足に陥ってしまい不揮発性表示部に不完全な表示が維持されたままになるという問題を防止できる。
【０００７】
また、請求項２に記載の発明によれば、請求項１に記載の発明が有する特徴に加え、前記書き換え制御部は、前記不揮発性表示部に表示された画像を別の画像に書き換える指示が前記入力部により入力された場合に、第１の閾値以上の電池残量が前記電池残量取得部により取得されているときは、前記不揮発性表示部に表示された画像を前記別の画像に書き換える制御を行い、第１の閾値よりも値の低い第２の閾値以上の電池残量が前記電池残量取得部により取得されているときは、前記不揮発性表示部に表示された画像を、所定のメッセージを有する報知画像に書き換える制御を行い、第２の閾値以上の電池残量が前記電池残量取得部により取得されていないときは、前記不揮発性表示部に表示された画像を書きかえる制御を行わないこと、を特徴とする。
【０００８】
これにより、請求項２に記載の発明によれば、請求項１に記載の発明が奏する効果に加え、前記電池の電池残量の不足により前記入力部が画像の書き換えができなくなった場合に、前記報知画像が前記不揮発性表示部に表示されることになるので、どうして画像の書き換えが行なえないのかを利用者に報知することができる。
【０００９】
また、請求項３に記載の発明によれば、請求項２に記載の発明が有する特徴に加え、前記メッセージと前記別の画像とを記憶する記憶部と、前記記憶部に記憶された前記メッセージと前記別の画像とを合成した生成する合成画像生成部を備え、前記書き換え制御部は、前記報知画像として前記合成画像に書き換える制御を行うことを特徴とする。
【００１０】
これにより、請求項３に記載の発明によれば、請求項２に記載の発明が奏する効果に加え、前記電池の電池残量の不足により前記入力部が画像の書き換えができなくなった場合に、所定のメッセージのみを表示するのではなく、利用者が所望した前記別の画像と前記メッセージとを合成した報知画像に書き換える。よって、電池残量の不足により書き換えが不能になる直前に書き換えを指示した場合であっても、利用者は所望の前記別の画像の内容を確認することができる。
【００１１】
また、請求項４に記載の発明によれば、請求項１に記載の発明が有する特徴に加え、所定条件にしたがって前記閾値を変更する閾値変更部を備え、前記書き換え制御部は、前記閾値変更部により変更された閾値を用いることを特徴とする。
【００１２】
これにより、請求項４に記載の発明によれば、請求項１に記載の発明が奏する効果に加え、所定の条件にしたがって前記閾値が変更されるため、電池を有効活用することができる。
【００１３】
また、請求項５に記載の発明によれば、請求項４に記載の発明が有する特徴に加え、前記不揮発性表示部による画像の書き換え形式を設定する書き換え形式設定部を備え、前記閾値変更部は、前記書き換え形式設定部による書き換え形式の設定にしたがって前記閾値を変更することを特徴とする。
【００１４】
これにより、請求項５に記載の発明によれば、請求項４に記載の発明が奏する効果に加え、書き換え形式の設定に応じて前記閾値が変更されるため、書き換え形式の設定に応じて電池を有効活用することができる。
【００１５】
また、請求項６に記載の発明によれば、請求項４に記載の発明が有する特徴に加え、前記不揮発性表示部に表示された画像を別の画像に書き換える指示が前記入力部により入力された場合に、前記不揮発性表示部に表示された画像を別の画像に書き換える際に消費される消費電力を推論する消費電力推論部を備え、前記閾値変更部は、消費電力推論部により推論される消費電力に応じて、前記閾値を変更することを特徴とする。
【００１６】
これにより、請求項６に記載の発明によれば、請求項４に記載の発明が奏する効果に加え、推論された消費電力に応じて前記閾値が変更されるためとして用いるので、推論された消費電力に応じて電池を有効活用できる。
【００１７】
また、請求項７に記載の発明によれば、電力の供給が断たれても画像の表示が維持される不揮発性表示部と、前記不揮発性表示部に電力を供給する電池と、前記不揮発性表示部に表示された画像を書き換える指示を入力する入力部と、を備えた表示装置のコンピュータを、前記電池の電池残量を取得する電池残量取得部と、前記入力部により画像を書き換える指示が入力された場合に、所定の閾値以上の電池残量が前記電池残量取得部により取得されているときは、前記不揮発性表示部に表示された画像を書き換え制御を行い、前記閾値以上の電池残量が前記電池残量取得部により取得されていないときは、前記不揮発性表示部に表示された画像を書き換えない制御を行う書き換え制御部と、して機能させることを特徴とする。
【００１８】
これにより、請求項７に記載の発明によれば、前記入力部により画像を書き換える指示が入力されたとしても、前記閾値以上の電池残量が取得されていないときは、前記書き換え制御部が画像を書き換えない。前記閾値として不揮発性表示部で少なくとも１回以上書き換えるために必要な閾値を用いれば、画像の書き換えの最中に電池が電池残量の不足に陥ってしまい不揮発性表示部に不完全な表示が維持されたままになるという問題を防止できる。
【発明の効果】
【００１９】
本発明の表示装置及び表示装置のプログラムは、画像の書き換えの最中に電池が電池残量の不足に陥ってしまい不揮発性表示部に不完全な表示が維持されたままになるという問題を防止できる。
【図面の簡単な説明】
【００２０】
【図１】表示装置１００の外観を示した概略図である。
【図２】表示装置１００のハードウェアの構成を示したブロック図である。
【図３】ＣＰＵ１０１が実行するメイン処理の流れを示したフローチャートである。
【図４】不揮発性表示パネル１０５に表示される画像例を示した概略図である。
【図５】第一の実施形態におけるＣＰＵ１０１が実行する書き換え処理の流れを示したフローチャートである。
【図６】第二の実施形態におけるＣＰＵ１０１が実行する書き換え処理の流れを示したフローチャートである。
【発明を実施するための形態】
【００２１】
以下に、本発明の第一の実施形態における表示装置１００について説明する。図１は表示装置１００の外観を示した概略図である。図１に示すように表示装置１００は不揮発性表示パネル１０５と、十字ボタン１１０ａ、取り消しボタン１１０ｂ、決定ボタン１１０ｃ等のボタンを備える。
【００２２】
利用者の操作にともない不揮発性表示パネル１０５には各種の画像が表示される。不揮発性表示パネル１０５には、表示装置１００で表示可能な所定形式の画像ファイルや、表示する画像ファイルを選択するための選択画像や、表示装置１００で実行可能なメニュー項目を選択するためのメニュー画像等の各種画像が表示される。
【００２３】
不揮発性表示パネル１０５と、不揮発性表示パネル１０５の画像を書き換える制御をおこなう表示制御部１０６（図２参照）とにより不揮発性表示部１２０（図２参照）が構成される。不揮発性表示パネル１０５に表示される画像は、表示制御部１０６により書き換えられる。表示制御部１０６の詳細については後述する。
【００２４】
不揮発性表示パネル１０５に表示された画像は、不揮発性表示部１２０への電力の供給が断たれても表示されたまま維持される。電気泳動型の表示素子やコレステリック液晶等を備えた表示パネルを不揮発性表示パネル１０５として用いることができる。第一の実施形態における不揮発性表示パネル１０５は、電気泳動型の表示素子を備えた表示パネルである。このような不揮発性表示部１２０を備えた表示装置１００は、画像の表示の維持のために電力を消費しない。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。
【００２５】
十字ボタン１１０ａ、取り消しボタン１１０ｂ、決定ボタン１１０ｃは、利用者が表示装置１００へ指示を入力するために設けられた操作ボタンである。
【００２６】
次に、表示装置１００のハードウェアの構成について図２を参照して説明する。図２は表示装置１００のハードウェアの構成を示したブロック図である。表示装置１００は、ＣＰＵ１０１と、ＲＯＭ１０２と、ＲＡＭ１０３と、ハードディスクドライブ１０４と、不揮発性表示部１２０と、電源制御部１０７と、電池１０８と、Ａ／Ｄコンバータ１０９と、入力部１１０と、通信インターフェース１１１と、を備える。
【００２７】
ＣＰＵ１０１と、ＲＯＭ１０２と、ＲＡＭ１０３とは、表示装置１００のコンピュータとして、それぞれ協働して後述の各処理を実行する。
【００２８】
ＣＰＵ１０１は、ＲＯＭ１０２に記憶されたプログラムに従って、表示装置１００の制御を行う。ＲＯＭ１０２は、後述のメイン処理等のプログラムを記憶している不揮発性の記憶装置である。ＲＡＭ１０３は、ＣＰＵ１０１が処理を実行する際にＲＯＭ１０２に記憶されたプログラムや各処理を実行する際に必要なデータを一時的に記憶する揮発性の記憶装置である。
【００２９】
ハードディスクドライブ１０４は、表示装置１００で表示可能な所定の形式の画像ファイルを記憶する。ハードディスクドライブ１０４に記憶されている画像ファイルは、周知のパーソナルコンピュータ等のアプリケーションプログラムで作成された文書ファイルや画像ファイルから変換された所定形式の画像ファイルである。ハードディスクドライブ１０４は、後述の通信インターフェース１１１を介して受信した所定形式の画像ファイルを記憶する。
【００３０】
不揮発性表示部１２０は、不揮発性表示パネル１０５と、表示制御部１０６とを備える。不揮発性表示パネル１０５は、アクティブマトリクス方式の表示パネルである。不揮発性表示パネル１０５は、表示面側の透明基板と、透明基板に対向する位置に設けられた背面基板とを有する。透明基板と背面基板との間に電気泳動型の表示素子が設けられている。
【００３１】
表示制御部１０６は、不揮発性表示パネル１０５の各ゲートラインへゲート信号を出力するためのゲートドライバ（図示外）と、不揮発性表示パネル１０５の各ソースラインへソース信号を出力するためのソースドライバ（図示外）とを備える。また、表示制御部１０６は、ゲートドライバによるゲート信号の出力とソースドライバによるソース信号の出力とを制御する表示コントローラを備える。表示制御部１０６は、ＣＰＵ１０１から受信する画像の書き換え指示に従って、書き換える画像に応じたゲート信号とソース信号とを不揮発性表示パネル１０５のゲートラインとソースラインとに出力する。これにより不揮発性表示パネル１０５の各画素電極には電気泳動型の表示素子を制御する駆動電圧が印加され、不揮発性表示パネル１０５に表示された画像は書き換えられる。尚、本実施形態における表示装置１００では、利用者が「通常モード」と「省電力モード」との書き換えモードの選択を行うことができる。「通常モード」は、通常の消費電力での画像の書き換えを行う書き換えモードである。「省電力モード」は「通常モード」よりも少ない消費電力で画像の書き換えを行う書き換えモードである。「省電力モード」においては、駆動電圧の印加時間を「通常モード」の駆動電圧の印加時間よりも短くすることによって、「通常モード」における画像の書き換えよりも少ない消費電力で画像の書き換えを実現する。
【００３２】
電源制御部１０７は、電池１０８とアダプタ２００とに接続されている。電源制御部１０７は、アダプタ２００から電力が供給されている場合には、表示装置１００の各デバイスにアダプタ２００からの電力を供給するとともに、ＣＰＵ１０１に対してアダプタ２００から電力の供給を受けている旨の信号を出力する。アダプタ２００から電力が供給されていない場合には、表示装置１００の各デバイスに電池１０８からの電力を供給するとともに、ＣＰＵ１０１に対して電池１０８から電力の供給を受けている旨の信号を出力する。また、電源制御部１０７はアダプタ２００から電力が供給されている場合に、アダプタ２００からの電力を電池１０８に供給し、電池１０８を充電する。また、電源制御部１０７は、画像の書き換え時以外は不揮発性表示部１２０への電力供給を停止する。これにより、画像の書き換え時以外に不揮発性表示部１２０における負荷で消費される電力を抑えている。
【００３３】
アダプタ２００は、コンセントを介して商用電源より入力された交流電力を表示装置１００に合わせた形式の直流電力に変換しそれを表示装置１００へ出力する。アダプタ２００はＡＣ−ＤＣアダプタである。
【００３４】
電池１０８は、リチウムイオン二次電池等の二次電池である。アダプタ２００がコンセントに接続されておらずアダプタ２００から電力の供給がない場合に、電池１０８から表示装置１００の各デバイスに電力が供給される。
【００３５】
Ａ／Ｄコンバータ１０９は、電池１０８の電圧を計測し、計測した電圧のアナログ信号をデジタル信号に変換しＣＰＵ１０１に出力する。
【００３６】
入力部１１０は、上述の十字ボタン１１０ａ、取り消しボタン１１０ｂ、決定ボタン１１０ｃ等のボタンを備え、押下されたボタンに応じた信号（十字ボタン１１０ａにおいては、十字ボタン１１０ａの押下された方向に応じた信号）をＣＰＵ１０１に出力する。これによりＣＰＵ１０１は、利用者によりいずれのボタンが操作されたかを判断することができる。
【００３７】
通信インターフェース１１１は、パーソナルコンピュータ等の外部の装置から所定形式の画像ファイル等の情報の送受信を行う。
【００３８】
次に、表示装置１００の動作についてフローチャートを用いて説明する。図３は、表示装置１００のＣＰＵ１０１が実行するメイン処理の流れを示したフローチャートである。図示しない電源ボタンが押下され、表示装置１００の電源が入れられたときにＣＰＵ１０１はメイン処理を開始する。
【００３９】
ＣＰＵ１０１は、メイン処理を開始すると、まずハードディスクドライブ１０４に記憶されている書き換えモード情報等の各種の設定情報の読み込みを行い、読み込んだ設定情報をＲＡＭ１０３に記憶する（ステップ５、以下ステップをＳと称す）。このＲＡＭ１０３に記憶した設定情報に基づいて、ＣＰＵ１０１は後述の各処理を実行する。例えば、Ｓ５でＲＡＭ１０３に記憶された書き換えモード情報に基づいて、後述の書き換え処理において書き換えモードが通常書き換えであるか否かが判断される（図５、Ｓ２０４）。
【００４０】
次に、書き換え信号を受信しているか否かを判断する（Ｓ１０）。入力部１１０からいずれかのボタンが押下されたことを示す信号を受信している場合は、ＣＰＵ１１０は書き換え信号を受信していると判断する。
【００４１】
書き換え信号を受信していると判断した場合は（Ｓ１０：Ｙｅｓ）、後述の書き換え処理において不揮発性表示パネル１０５に表示された画像を別の画像に書き換える制御をおこなう（Ｓ２０）。書き換え処理の詳細については後述する。
【００４２】
書き換え処理を実行した後、利用者によるボタンの押下にともなって画像の書き換え以外に必要なその他の処理を必要に応じて実行する（Ｓ２５）。例えば、書き換えモードの選択画像を表示中に、「通常モード」か「省電力モード」かのいずれかの書き換えモードを選択中に決定ボタン１１０ｃを押下された場合、Ｓ２０においては書き換えモードの設定が変更されたことを示す画像に書き換え、Ｓ２５において選択された書き換えモードを示す書き換えモード情報をＲＡＭ１０３に更新して記憶する。
【００４３】
その他の処理を実行した後、電源ＯＦＦの指示が利用者によりされているか否かを判断する（Ｓ３０）。上述の電源ボタンが押下されている場合に、ＣＰＵ１０１は電源ＯＦＦの指示が利用者によりされていると判断する。電源ボタンが押下されていない場合は（Ｓ３０：Ｎｏ）、処理をＳ１０へ移行する。
【００４４】
電源ボタンが押下されている場合には（Ｓ３０：Ｙｅｓ）、ＣＰＵ１０１は、ＲＡＭ１０３に記憶された設定情報をハードディスクドライブ１０４に記憶して、メイン処理を終了し、表示装置１００の電源がＯＦＦされる。
【００４５】
次に、書き換え処理（図３、Ｓ２０）の詳細な動作について説明する。この書き換え処理では、利用者が十字ボタン１１０ａ、取り消しボタン１１０ｂ、決定ボタン１１０ｃのいずれかのボタンを押下して別の画像に書き換える指示を入力したとしても、電池１０８の電池残量を示す電圧が所定の閾値以上ない場合は、別の画像に書き換えない。したがって、画像の書き換えの最中に電池残量の不足に陥ってしまい不揮発性表示部１２０に不完全な表示が維持されたままになるという問題を防止できる。
【００４６】
この書き換え処理において用いられる電圧の閾値ａ〜ｄについて説明する。「通常モード」において、後２回画像を書き換えるために必要な電池残量を有するときの電池１０８の電圧の値が閾値ａである。また、「通常モード」において、後１回画像を書き換えるために必要な電池残量を有するときの電池１０８の電圧の値が閾値ｂである。また、「省電力モード」において、後２回画像を書き換えるために必要な電池残量を有するときの電池１０８の電圧の値が閾値ｃである。また、「省電力モード」において、後１回画像を書き換えるために必要な電池残量を有するときの電池１０８の値が閾値ｄである。すなわち、閾値ａは閾値ｂよりも大きい値が設定されおり、閾値ｃは閾値ｄよりも大きい値が設定されており、閾値ａは閾値ｃよりも大きい値が設定されており、閾値ｂは閾値ｄよりも大きい値が設定されている。
【００４７】
ここで、図４に示した不揮発性表示パネル１０５に表示される画像例を参照しながら、「通常モード」において利用者によって画像の書き換えが指示された場合に表示装置１００の画像がどのように書き換わるかについて説明する。図４（Ａ）は、所定の画像ファイルの３ページ目の画像を示す。図４（Ｂ）は、所定の画像ファイルの４ページ目の画像を示す。図４（Ｃ）は、所定の画像ファイルの５ページ目の画像に、「電池残量が少なくなりました」という所定のメッセージを合成して作成された報知画像を示す。
【００４８】
図４（Ａ）に示した３ページ目の画像を表示中に十字ボタン１１０ａの右方向が押下された場合、すなわち、次のページの画像に表示を書き換える操作が利用者により行われていた場合には、電池１０８の電圧が閾値ａ以上であるときは、図４（Ｂ）に示した４ページ目の画像に書き換わる。このように、電池１０８の電圧が閾値ａ以上である場合は、利用者は操作に応じて所望する別の画像へ自由に画像に書き換えることができる。
【００４９】
４ページ目の画像に書き換えたことによって電池１０８の電圧が閾値aより低い値であって閾値ｂ以上の値に陥った場合において、十字ボタン１１０ａの右方向が押下されたときは、図４（Ｃ）に示した５ページ目の画像に「電池残量が少なくなりました」という所定のメッセージを合成して作成された報知画像に書き換わる。このように、電池１０８の電圧が閾値aより低い値であって閾値ｂ以上の値を示す場合は、利用者は操作に応じて所望する別の画像と「電池残量が少なくなりました」という所定のメッセージを合成して作成された報知画像に書き換えることができる。このように電圧が閾値ａより少なくなった場合に、あらかじめ「電池残量が少なくなりました」という所定のメッセージが表示される。
【００５０】
報知画像に書き換えたことによって電池１０８の電圧が閾値ｂよりも低い値に陥った場合において、十字ボタン１１０ａの右方向が押下された場合は、表示装置１００は報知画像を表示したまま画像が書き換わることがない。したがって、書き換えの最中に電池残量の不足に陥ってしまい不揮発性表示部１２０に不完全な表示が維持されたままになるという問題を防止できる。
【００５１】
また、画像の書き換えが行えなくなる前にあらかじめ「電池残量が少なくなりました」という所定のメッセージが表示されるので、利用者は次に十字ボタン１１０ａ等のボタンを押下したとしても画像が書き換わらないことを事前に知ることができる。
【００５２】
次に、ＣＰＵ１０１が実行する書き換え処理の流れについて、図５を参照して説明する。図５は、ＣＰＵ１０１が実行する書き換え処理の流れを示したフローチャートである。ＣＰＵ１０１は書き換え処理を開始すると、表示装置１００の各デバイスにアダプタ２００から電力が供給されているか否かを判断する（Ｓ２０１）。
【００５３】
アダプタ２００から電力が供給されていると判断した場合には（Ｓ２０１：Ｙｅｓ）、上述のＳ１０において、押下されていたボタンの種類と表示中の画像とに応じて、画像を別の画像に書き換える制御を行う（Ｓ２０２）。例えば、上述のＳ１０において、複数ページからなる画像ファイルを表示中に十字ボタン１０１ａの右方向が押下された場合、すなわち、次のページの画像に表示を書き換える操作が利用者により行われていた場合には、表示中のページの次のページの画像に書き換える制御を行う。また、上述のＳ１０において、複数の画像ファイルのタイトル一覧を表示中に決定ボタン１０１ｃが押下された場合、すなわち、複数の画像ファイルの中から表示する画像ファイルを選択する操作が利用者により行われていた場合には、タイトル一覧において選択されていた画像ファイルのトップページの画像に書き換える制御を行う。このように、Ｓ２０１では、Ｓ１０において押下されたボタンと表示中の画像とに応じた別の画像に書き換える制御を行う。このようにして、ＣＰＵ１０１は利用者が所望する別の画像へ書き換える指示を表示制御部１０６に対して行った後、メイン処理のＳ３０へ戻る。尚、ここではＲＡＭ１０３に記憶されている書き換えモードに応じた書き換えを行う。
【００５４】
アダプタ２００から電力が供給されていないと判断された場合には（Ｓ２０１：Ｎｏ）、電池１０８の電池残量を示す値として電池１０８の電圧をＡ／Ｄコンバータ１０９より取得して、取得した電圧の値をＲＡＭ１０３に記憶する（Ｓ２０３）。尚、本実施形態においては、電池残量を示す値として電池１０８の電圧の値を用いているが本発明はこれに限られるものではない。表示装置１００の各デバイスの駆動状況と、それらの駆動に消費される電力とから消費された電力を算出して電池残量を推論するようにしてもよい。例えば、電池１０８が満充電の状態からの画像の書き換え回数と、一回の書き換えに必要な消費電力とに基づいて、電池残量を推論するようにしてもよい。
【００５５】
次に、通常書き換えを行うか否かを判断する（Ｓ２０４）。通常書き換え、すなわち「通常モード」で書き換えを行うか否かは、ＲＡＭ１０３に記憶されている書き換えモード情報に従って判断する。
【００５６】
利用者により「通常モード」が選択されており通常書き換えを行うと判断した場合は（Ｓ２０４：Ｙｅｓ）、Ｓ２０１において取得した電圧が閾値ａ以上であるか否かを判断する（Ｓ２０５）。取得した電圧が閾値ａ以上である場合は（Ｓ２０５：Ｙｅｓ）、上述のＳ２０２と同様に利用者に指示された画像に書き換える制御を行い（Ｓ２０６）、メイン処理のＳ３０へ戻る。尚、この場合は「通常モード」で書き換えが行われる。
【００５７】
取得した電圧が閾値ａ以上でないと判断した場合は（Ｓ２０５：Ｎｏ）、Ｓ２０１において取得した電圧が閾値ｂ以上であるか否かを判断する（Ｓ２０７）。Ｓ２０１において取得した電圧が閾値ｂ以上であると判断した場合は（Ｓ２０７：Ｙｅｓ）、報知画像に書き換える制御を行い（Ｓ２０８）、メイン処理のＳ３０へ戻る。この報知画像は、利用者に指示された画像と、ＲＯＭ１０２に記憶されているプログラムによってあらかじめ定められている「電池残量が少なくなりました」という所定のメッセージとを、ＲＡＭ１０３に読み出して合成することで生成した合成画像である。尚、本実施形態では所定のメッセージとして、「電池残量が少なくなりました」という文字列のメッセージを表示するものとして説明したが、本発明はこれに限るものではない。たとえば、「書き換えできません」という文字列のメッセージを表示させてもよいし、所定の形状のアイコン等をメッセージとして用いてもよい。尚、この場合の画像の書き換えも「通常モード」での書き換えが行われる。
【００５８】
取得した電圧が閾値ｂ以上でないと判断した場合は（Ｓ２０７：Ｎｏ）、メイン処理のＳ３０へ戻る。
【００５９】
通常書き換えでないと判断した場合は（Ｓ２０４：Ｎｏ）、Ｓ２０３において取得した電圧が閾値ｃ以上であるか否かを判断する（Ｓ２０９）。取得した電圧が閾値ｃ以上である場合は（Ｓ２０９：Ｙｅｓ）、上述のＳ２０２と同様に利用者に指示された別の画像に書き換える制御を行い（Ｓ２１０）、メイン処理のＳ３０へ戻る。尚、この場合の画像の書き換えは「省電力モード」で行われる。
【００６０】
取得した電圧が閾値ｃ以上でないと判断した場合は（Ｓ２０９：Ｎｏ）、Ｓ２０３において取得した電圧が閾値ｄ以上であるか否かを判断する（Ｓ２１１）。取得した電圧が閾値ｄ以上であると判断した場合は（Ｓ２１１：Ｙｅｓ）、上述のＳ２０８同様に報知画像に書き換える制御を行い（Ｓ２１２）、メイン処理のＳ３０へ戻る。尚、この場合の画像の書き換えは「省電力モード」で行われる。
【００６１】
取得した電圧が閾値ｄ以上でないと判断した場合は（Ｓ２１１：Ｎｏ）、メイン処理のＳ３０へ戻る。
【００６２】
このように、利用者が十字ボタン１１０ａ、取り消しボタン１１０ｂ、決定ボタン１１０ｃのいずれかのボタンを押下して画像を書き換える指示を入力したとしても、電池１０８の電池残量を示す電圧が所定の閾値（閾値ｂ、閾値ｄ）以上ない場合にＣＰＵ１０１は画像を書き換えない。したがって、画像の書き換えの最中に電池残量の不足に陥ってしまい不揮発性表示部１２０に不完全な表示が維持されたままになるという問題を防止できる。
【００６３】
また、ＣＰＵ１０１はアダプタ２００から電力の供給がある場合には（Ｓ２０１：Ｙｅｓ）、電池１０８の電圧にかかわらず利用者に指示された画像に書き換える（Ｓ２０２）。アダプタ２００から電力が供給されている場合は、電池１０８の電池残量の不足に起因して不揮発性表示部１２０に不完全な表示が維持されたままになるという問題は発生しない。よって、アダプタ２００から電力が供給されている場合には、電池１０８の電圧にかかわらず利用者に指示された画像に書き換える制御を行う。
【００６４】
第一の実施形態における不揮発性表示部１２０が、本発明の不揮発性表示部に相当する。第一の実施形態における電池１０８が、本発明の電池に相当する。第一の実施形態における入力部１１０が、本発明の入力部に相当する。第一の実施形態における書き換え処理のＳ２０３（図５参照）において、電池１０８の電圧の値を取得してＲＡＭ１０３に記憶するＣＰＵ１０１が、本発明の電池残量取得部に相当する。第一の実施形態における書き換え処理（図５参照）のＳ２０２、Ｓ２０６、Ｓ２０８、Ｓ２１０、Ｓ２１２において、画像を書き換える制御を行うＣＰＵ１０１が、本発明の書き換え制御部に相当する。第一の実施形態における書き換え処理（図５参照）のＳ２０６、Ｓ２１０において、所定メッセージと所望の画像とを合成した報知画像を生成し報知画像に書き換えるＣＰＵ１０１が、本発明の合成画像生成部に相当する。第一の実施形態におけるメイン処理（図３参照）のＳ２５のその他の処理において、書き換えモード情報をＲＡＭ１０２に更新して記憶するＣＰＵ１０１が、本発明の書き換え形式設定部に相当する。第一の実施形態における書き換え処理（図５）のＳ２０４において、通常書き換えを行うか否かを判断するＣＰＵ１０１が、本発明の閾値変更部に相当する。
【００６５】
次に、本発明の第二の実施形態の表示装置１００について説明する。第一の実施形態の表示装置１００は、電池１０８の電池残量の不足により画像の書き換えを制限する前に報知画像を表示する（図５、Ｓ２０８、Ｓ２１２）ものとして説明したが、第二の実施形態においては事前に報知画像に書き換える処理を行わない。また、第一の実施形態においては、書き換えモードとして「省電力モード」を備えたものとして説明したが、第二の実施形態においてはこれを省略する。第二の実施形態における表示装置１００は、「通常モード」による画像の書き換えのみを行うものとして説明する。第二の実施形態の表示装置１００の概観、ハードウェアの構成、メイン処理については、第一の実施形態と同一であるので説明を省略する。
【００６６】
図６を参照し、第二の実施形態における書き換え処理の詳細な動作について説明する。図６に示すように、ＣＰＵ１０１は書き換え処理を開始すると、表示装置１００にアダプタ２００から電力が供給されているか否かが判断される（Ｓ１２０１）。
【００６７】
アダプタ２００から電力が供給されていると判断された場合には（Ｓ１２０１：Ｙｅｓ）、上述の第一の実施形態におけるＳ２０２と同様に利用者に指示された別の画像に書き換える制御を行い（Ｓ１２０２）、メイン処理のＳ３０へ戻る。
【００６８】
アダプタ２００から電力が供給されていないと判断された場合には（Ｓ１２０１：Ｎｏ）、電池１０８の電圧を取得して、取得した電圧をＲＡＭ１０３に記憶する（Ｓ１２０３）。
【００６９】
次に、Ｓ１２０３において取得した電圧が閾値ｂ以上であるか否かを判断する（Ｓ１２０４）。取得した電圧が閾値ｂ以上である場合は（Ｓ１２０４：Ｙｅｓ）、上述のＳ１２０２を行い、メイン処理のＳ３０へ戻る。
【００７０】
取得した電圧が閾値ｂ以上でないと判断した場合は（Ｓ１２０４：Ｎｏ）、メイン処理のＳ３０へ戻る。
【００７１】
ここで、閾値ｂは上述の第一の実施形態における閾値ｂと同一の値であり、「通常モード」において、後１回画像を書き換えるために必要な電池残量を有するときの電池１０８の電圧の値である。
【００７２】
なお、本発明の表示装置及び表示装置のプログラムは、上記した実施の形態に限定されるものではなく、本発明の要旨を逸脱しない範囲内において種々変更を加え得ることは勿論である。
【００７３】
例えば、上述の第一の実施形態および第二の実施形態においては、表示装置１００が電池１０８として二次電池であるものとして説明したが、本発明は二次電池の変わりに一次電池を備えた表示装置に適用することもできる。
【００７４】
また、上述の第一の実施形態および第二の実施形態においては、表示装置１００がアダプタ２００を備え、アダプタ２００から電力が供給されている場合には、電池１０８の電池残量にかかわらず利用者の操作に応じて別の画像を書き換えるものとして説明したが、本発明はアダプタ２００を備えない表示装置に適用することもできる。この場合は、電池１０８の電池残量に基づいて画像の書き換えを行うか否かが判断される。
【００７５】
また、上述の第一の実施形態においては、報知画像として利用者が書き換えを指示した別の画像と所定のメッセージとを合成して、別の画像と所定のメッセージとを重ね合わせた合成画像を報知画像として書き換えたが、所定のメッセージのみを示した画像を報知画像として書き換えてもよい。また別の画像と、所定のメッセージとをそれぞれ別の領域に表示するように合成して生成した合成画像を報知画像として用いてもよい。
【００７６】
また、上述の第一の実施形態においては、閾値ａは、「通常モード」において後２回画像を書き換えるために必要な電池１０８の電圧の値とし、また、閾値ｂは、「通常モード」において後１回画像を書き換えるために必要な電池１０８の電圧の値とし、また、閾値ｃは、「省電力モード」において後２回画像を書き換えるために必要な電池１０８の電圧の値とし、また、閾値ｄは、「省電力モード」において後１回画像を書き換えるために必要な電池１０８の電圧の値として説明したが、これらの閾値ａ〜ｄの値はこれに限定するものではない。また、閾値ａは、「通常モード」において少なくとも後２回以上画像を書き換えるために必要な電池１０８の電圧の値とし、また、閾値ｂは、「通常モード」において少なくとも後１回以上画像を書き換えるために必要な電池１０８の電圧の値とし、また、閾値ｃは、「省電力モード」において少なくとも後２回以上画像を書き換えるために必要な電池１０８の電圧の値とし、また、閾値ｄは、「省電力モード」において少なくとも後１回以上画像を書き換えるために必要な電池１０８の電圧の値として設定されていることが好ましい。また、閾値ａは閾値ｂよりも大きく、閾値ｃは閾値ｄよりも大きく、閾値ａは閾値ｃよりも大きく、閾値ｂは閾値ｄよりも大きくなるように、閾値ａ〜ｄの値が設定されていることが好ましい。
【００７７】
また、上述の第一の実施形態においては、表示装置１００は書き換えモードとして、「通常モード」と「省電力モード」とを備え、その書き換えモードの設定がいずれであるかに基づいて、画像を書き換えるか否かを判断する際の閾値を変更するものとして説明したが、画像ごとにいずれの書き換えモードで画像を書き換えるかを設定しておき、次に書き換える画像に対していずれの書き換えモードが設定されているかに基づいて、閾値の変更を行うようにしてもよい。
【００７８】
また、上述の第一の実施形態においては、表示装置１００は「省電力モード」として、「通常モード」よりも駆動電圧の印加時間を短くした書き換え形式を用いるものとして説明したが、本発明はこれに限るものではない。たとえば、「省電力モード」として「通常モード」よりも駆動電圧の電圧を低くした書き換え形式を用いてもよい。また、「省電力モード」としては、不揮発性表示パネル１０５の半分のみの領域を書き換えることによって「通常モード」よりも低い消費電力を実現してもよい。また、書き換えモードは２段階に限定するものではなく、２段階以上の書き換えモードを備えてもよい。
【００７９】
また、上述の第一の実施形態および第二の実施形態の変形例として、現在表示中の画像から別の画像へ書き換える際に実際に消費される電力を、画像の書き換えの前に算出し、その算出値に応じて、画像を書き換えるか否かを判断する際の閾値の変更を行うようにしてもよい。たとえば白、ライトグレー、ダークグレー、黒の４色を表示可能な電気泳動型の表示素子を備えた不揮発性表示パネル１０４を用いた表示装置１００においては、ライトグレー、ダークグレーの画素を有する画像を書き換える場合にくらべ、白、黒の２色の画素のみで構成される画像を表示する場合に消費電力が高くなることがある。これは、画素を白や黒に書き換える場合に比べ、ライトグレーやダークグレーに書き換える場合に画素電極への電圧の印加時間を長くする必要があるからである。このように不揮発性表示部１２０の特性や書き換える画像に応じて、消費される電力が異なる場合がある。このような場合に、画像の書き換え前に実際に消費される電力を算出し、その算出値に応じて、閾値を変更することは有効である。この場合、画像の書き換え前に実際に消費される電力を算出するＣＰＵが、本発明における消費電力推論部に相当する。
【００８０】
また、上述の第一の実施形態および第二の実施形態の変形例として、電池１０８の温度や表示装置１００の周囲の温度を計測する温度センサを設け、その温度センサにより計測した温度に応じて画像の書き換えを行うか否かを判断する際の閾値を変更するようにしてもよい。表示装置１００の周囲の温度に応じて画像の書き換えに必要な消費電力が変化したり、電池１０８の温度に応じて残りの電池残量を示す電圧の値が変化したりするため、温度センサにより計測した温度に応じて閾値を変更するようにしてもよい。
【符号の説明】
【００８１】
１００    表示装置
１０１    ＣＰＵ
１０２    ＲＯＭ
１０３    ＲＡＭ
１０４    ハードディスクドライブ
１０５    不揮発性表示パネル
１０６    表示制御部
１０７    電源制御部
１０８    電池
１０９    Ａ／Ｄコンバータ
１１０    入力部
１１０ａ    十字ボタン
１１０ｂ    取り消しボタン
１１０ｃ    決定ボタン
１１１    通信インターフェース
１２０    不揮発性表示部
２００    アダプタ
【図１】
2010237264.tif 000003
【図２】
2010237264.tif 000004
【図３】
2010237264.tif 000005
【図４】
2010237264.tif 000006
【図５】
2010237264.tif 000007
【図６】
2010237264.tif 000008